(57)【要約】【課題】排水ます本体と上流側に接続される配管および下流側に接続される配管との間で液溜まりを生じることがなく角度調整自在に配管を接続することができ、かつ、比較的大きな口径を有することができる樹脂製排水ますを提供する。【解決手段】上向きに点検筒接続部と、上流側および下流側のそれぞれに自在管継手を備えた樹脂製排水ますであって、前記自在管継手は、部分球状内表面を有するソケット継手と前記ソケット継手の部分球状内表面に一致して回動自在に嵌合される部分球状外表面を有するスピゴット継手と、そして前記ソケット継手およびスピゴット継手の内側で追従し、かつ内断面を略一定に保つように回動可能な環状内壁部材とを含み、前記排水ます本体の上流側および下流側には、前記スピゴット継手が一体成形されていることを特徴とする樹脂製排水ますを提供する。【選択図】        図３
2007070890.tif 000002
【特許請求の範囲】
【請求項１】
上向きに点検筒接続部と、上流側および下流側のそれぞれに自在管継手を備えた樹脂製排水ますであって、
前記自在管継手は、部分球状内表面を有するソケット継手と前記ソケット継手の部分球状内表面に一致して回動自在に嵌合される部分球状外表面を有するスピゴット継手と、そして前記ソケット継手およびスピゴット継手の内側で追従し、かつ内断面を略一定に保つように回動可能な環状内壁部材とを含み、
前記排水ます本体の上流側および下流側には、前記スピゴット継手が一体成形されていることを特徴とする樹脂製排水ます。
【請求項２】
上向きに点検筒接続部と、上流側および下流側のそれぞれに自在管継手を備えた樹脂製排水ますであって、
前記自在管継手は、部分球状内表面を有するソケット継手と前記ソケット継手の部分球状内表面に一致して回動自在に嵌合される部分球状外表面を有するスピゴット継手と、そして前記ソケット継手およびスピゴット継手の内側で追従し、かつ内断面を略一定に保つように回動可能な内壁部材とを含み、
前記排水ます本体の上流側には前記スピゴット継手が一体成形され、そして下流側には前記ソケット継手が一体成形されていることを特徴とする樹脂製排水ます。
【請求項３】
前記上流側に設けられた自在管継手の外部配管との接続端にはゴム輪接合方式の受口が形成されており、前記下流側に設けられた自在管継手の外部配管との接続端にはゴム輪接合方式に対応する差口が形成されていることを特徴とする請求項１又は２に記載の樹脂製排水ます。
【請求項４】
前記自在管継手の自在振り角が、−１５°〜＋１５°の範囲内で回動可能な請求項１又は２に記載の樹脂製排水ます。
【請求項５】
前記排水ます本体上に形成される上流側のスピゴット継手と下流側のスピゴット継手、または上流側のスピゴット継手と下流側のソケット継手は、それぞれの管軸が互いに一致するように配置されていることを特徴とする請求項１又は２に記載の樹脂製排水ます。
【請求項６】
前記排水ます本体の上流側には、少なくとも２以上の自在管継手が備え付けられていることを特徴とする請求項１又は２に記載の樹脂製排水ます。
【発明の詳細な説明】
【技術分野】
【０００１】
本発明は、樹脂製排水ますに関し、特に、排水ます本体と上流側に接続される配管および／または下流側に接続される配管との間で接続角を調整する必要性が生じた場合に、角度調整自在に配管を接続できる樹脂製排水ますに関する。
【背景技術】
【０００２】
排水配管を施工する場合、埋設された配管内の点検や他の排水配管を合流させるために、その排水配管経路の途中に排水ますを設置することがある。このとき、排水ます本体とこれに接続される上流側および／または下流側配管との間で、各配管の勾配等に合わせて接続角を左右上下に調整する必要性が生じる場合がある。
【０００３】
このような場合の対処方法としては、実公昭５７−３４３９１号公報、実開昭６３−２４４８４号公報、実開平１−８７３９４号公報、実開平６−８００９２号公報、特開２００４−３３２７８８号公報に記載されているような接続角調整可能な自在管継手を排水ます本体の流入口および／または流出口に後付けすることや、特開平４−１７５５９７号公報、特開平６−３３０５５２号公報、特開２００１−２１０８０号公報、および第８５２１４０号意匠公報、第８５２１４０号の類似の１意匠公報、第８５２１４０号の類似の２意匠公報、第１２３７３４２号意匠公報に記載されているような流入口（上流側）および／または流出口（下流側）の少なくとも一方に予め自在管継手が一体的に備え付けられた排水ますを使用することが提案されている。
【０００４】
しかしながら、これらの自在管継手単体および自在管継手が備え付けられた排水ますの多くは、排水ます本体とこれに接続される外部配管との間で接続角の調整を行うと、その内部で液溜まりが生じて流水を阻害してしまうものであったり、または、上流側配管と下流側配管との間の大きな勾配変化に合わせて接続角を十分に調整することができないものであった。
【０００５】
さらに、上記のように、施工現場において後から自在管継手を取り付ける方法の場合は、排水ます本体に自在管継手を接着するための手間が掛かり、また、接着後は２〜３時間以上の養生が必要であるため、その間は次の配管を接続することができずに作業性を悪化させるという問題があった。また、予め自在管継手が一体的に備え付けられた排水ますを使用する方法の場合は、排水ますの価格が通常の排水ますより高価であり、また、選択できる排水ますの大きさ（口径）が、以下の理由により小径なものに制限されるという問題があった。
【０００６】
従来型の自在管継手が備え付けられた樹脂製排水ますの場合は、流入口および／または流出口に自在管継手を取り付けるために、通常の排水ます本体から外方向へ長く突出した専用の流入口および／または流出口を排水ます本体上に一体成形しなければならない。このため、同じ大きさ（口径）の点検口を有する排水ますの製造を望む場合は、通常より外方向へ長く突出した専用の流入口および／または流出口の長さに相当する分だけ、より大きな金型を作製して使用しなければならなかった。
【０００７】
ところが、これに対し樹脂製排水ますは、射出成形機を用いて金型に樹脂を注入することにより作製されるため、射出成形をすることが可能な排水ますの最大の大きさ（排水ます本体の最大口径）、すなわち、使用することが可能な最大の金型の大きさは、この射出成形機の能力により決定され、略一定である。
【０００８】
したがって、既存の射出成形機を用いて自在管継手を備えた排水ますを製造しようとする場合は、通常の排水ますの製造に使用される金型と略同じ大きさの金型を用いて、外方向へ長く突出した専用の流入口および／または流出口の長さに相当する分だけ、排水ます本体の点検口の口径をより“小さく”した排水ますを作製しなければならなかった。一方、自在管継手を備えたより大きな排水ますを製造しようとする場合は、外方向へ長く突出した専用の流入口および／または流出口の長さに相当する分だけ、より“大きな”金型を新たに作製し、さらに、より高い能力を有する射出成形機を新たに購入するなどして使用する必要があった。
【０００９】
このため、市場で手に入れることができる自在管継手が一体的に備え付けられた樹脂製排水ますは、その本体の口径が小さなものであったり、または、大きめであると非常に高価であるという問題があった。さらに、特開平６−３３０５５２号公報、特開２００１−２１０８０号公報に記載されているような流入口または流出口の一方にのみ自在管継手を一体成形することにより、排水ます本体の口径の大径化を少しだけ可能としたものも開発されているが、このような排水ますの場合は、自在管継手が備え付けられていない側の接続口において、接続される外部配管との間で接続角を左右上下に調整する必要性が生じた場合に対処することができず、このため、上流側配管と下流側配管との間に比較的大きな勾配変化を有する配管経路の途中に排水ますを設置することができないという問題があった。
【特許文献１】実公昭５７−３４３９１号公報
【特許文献２】実開昭６３−２４４８４号公報
【特許文献３】実開平１−８７３９４号公報
【特許文献４】実開平６−８００９２号公報
【特許文献５】特開平４−１７５５９７号公報
【特許文献６】特開平６−３３０５５２号公報
【特許文献７】特開２００１−２１０８０号公報
【特許文献８】特開２００４−３３２７８８号公報
【特許文献９】第８５２１４０号意匠公報
【特許文献１０】第８５２１４０号の類似の１意匠公報
【特許文献１１】第８５２１４０号の類似の２意匠公報
【特許文献１２】第１２３７３４２号意匠公報
【発明の開示】
【発明が解決しようとする課題】
【００１０】
そこで、本発明は、上記の課題について、特に排水ます本体と上流側に接続される配管および下流側に接続される配管との間で液溜まりを生じることがなく角度調整自在に配管を接続することができ、かつ、従来と同じ大きさの金型を用いても比較的大きな口径を有することができる樹脂製排水ますを提供することを目的とする。
【課題を解決するための手段】
【００１１】
このような目的を達成するために、請求項１に記載の発明では、上向きに点検筒接続部と、上流側および下流側のそれぞれに自在管継手を備えた樹脂製排水ますであって、前記自在管継手は、部分球状内表面を有するソケット継手と前記ソケット継手の部分球状内表面に一致して回動自在に嵌合される部分球状外表面を有するスピゴット継手と、そして前記ソケット継手およびスピゴット継手の内側で追従し、かつ内断面を略一定に保つように回動可能な内壁部材とを含み、前記排水ます本体の上流側および下流側には、前記スピゴット継手を一体成形させた。
【００１２】
この結果、請求項１に記載の発明によれば、特開２００５−２０７５４８号公報、特願２００４−６７６８５号明細書に記載されているようなソケット継手およびスピゴット継手の内側で追従し、かつ内断面を略一定に保つように回動可能な内壁部材を含む自在管継手の基本構造を基にこれを改良して使用したため、排水ます本体と上流側に接続される配管および下流側に接続される配管との間で液溜まりを生じることがなく角度調整自在に配管を接続することができるようになる。
【００１３】
また、請求項１に記載の発明によれば、排水ます本体から外方向へ突出する流入口および流出口に、管長が極めて短いスピゴット継手を一体的に形成するようにしたため、従来と同じ大きさの金型を用いても比較的大きな口径を有する樹脂製排水ますを提供することができる。
【００１４】
さらに、請求項１に記載の発明によれば、上流側および下流側のそれぞれに、広範囲にわたって任意方向に角度調節可能な特殊な構造を有する自在管継手を一体的に備え付けたため、上流側配管と下流側配管との間に比較的大きな勾配変化を有する配管経路の途中であっても排水ますを設置することができるようになる。
【００１５】
請求項２に記載の発明では、上向きに点検筒接続部と、上流側および下流側のそれぞれに自在管継手を備えた樹脂製排水ますであって、前記自在管継手は、部分球状内表面を有するソケット継手と前記ソケット継手の部分球状内表面に一致して回動自在に嵌合される部分球状外表面を有するスピゴット継手と、そして前記ソケット継手およびスピゴット継手の内側で追従し、かつ内断面を略一定に保つように回動可能な内壁部材とを含み、前記排水ます本体の上流側には前記スピゴット継手を一体成形させて、そして下流側には前記ソケット継手を一体成形させた。
【００１６】
この結果、請求項２に記載の発明によれば、請求項１に記載の発明と同様に特開２００５−２０７５４８号公報、特願２００４−６７６８５号明細書に記載されているようなソケット継手およびスピゴット継手の内側で追従し、かつ内断面を略一定に保つように回動可能な内壁部材を含む自在管継手の基本構造を基にこれを改良して使用したため、排水ます本体と上流側に接続される配管および下流側に接続される配管との間で液溜まりを生じることがなく角度調整自在に配管を接続することができるようになる。
【００１７】
また、請求項２に記載の発明によれば、排水ます本体から外方向へ突出する流入口には管長が極めて短いスピゴット継手を一体的に形成させ、流出口には外部配管を接続するための差口（長さ）を省略することにより管長を短くしたソケット継手を形成させたため、従来と同じ大きさの金型を用いても比較的大きな口径を有する樹脂製排水ますを作製することができ、また、下流側自在管継手の中で、環状内壁部材の噛み合わせを順フロー方向に揃えたため、よりスムーズな流水を達成できるようになる。
【００１８】
さらに、請求項２に記載の発明によれば、上流側および下流側のそれぞれに、広範囲にわたって任意方向に角度調整可能な特殊な構造を有する自在管継手を一体的に備え付けたため、上流側配管と下流側配管との間に比較的大きな勾配変化を有する配管経路の途中であっても排水ますを設置することができるようになる。
【００１９】
請求項３に記載の発明では、請求項１又は２に記載の発明の上流側に設けられた自在管継手の外部配管との接続端にはゴム輪接合方式の受口を形成させ、下流側に設けられた自在管継手の外部配管との接続端にはゴム輪接合方式に対応する差口を形成させた。
【００２０】
この結果、請求項３に記載の発明によれば、施工現場において外部配管との接続作業が容易となり、また、排水ます本体に自在管継手を接着するための手間も不要であるため、非常に短時間に排水ますの設置作業を完了させることが可能となり、低コストで施工作業を行うことができるようになる。
【００２１】
請求項４に記載の発明では、請求項１又は２に記載の発明の自在管継手の自在振り角を−１５°〜＋１５°の範囲内で回動可能に調節できるようにした。
【００２２】
この結果、請求項４に記載の発明によれば、排水ます本体とこれに接続される上流側および下流側配管との間で、それぞれの配管の勾配等に合わせて接続角を任意方向に別々に調整することが可能となり、上流側配管と下流側配管との間に比較的大きな勾配変化や屈曲部を有する配管経路の途中であっても排水ますを容易に設置することができるようになる。
【００２３】
請求項５に記載の発明では、請求項１又は２に記載の発明の排水ます本体上に形成される上流側のスピゴット継手と下流側のスピゴット継手、または上流側のスピゴット継手と下流側のソケット継手は、それぞれの管軸が互いに一致するように配置した。
【００２４】
この結果、請求項５に記載の発明によれば、勾配等をもって略直線上に配置される１本の排水配管経路の途中に本発明による排水ますを容易に設置することができ、そして、排水ますの設置によっても流水を阻害することがなくスムーズな流水を保証することができる。
【００２５】
請求項６に記載の発明では、請求項１又は２に記載の発明の排水ます本体の上流側に、少なくとも２以上の自在管継手を備え付けた。
【００２６】
この結果、請求項６に記載の発明によれば、上流側からは複数の外部排水配管を受け入れることができ、そして、これらの配管を排水ますの中で合流させた後、下流側へは１つの排水配管へ統合して排水するような機能が求められる排水ますの設置場所であっても、排水ます本体と上流側に接続される配管および下流側に接続される配管との間で液溜まりを生じることがなく、角度調整自在に配管を接続することができ、かつ比較的大きな口径を有する樹脂製排水ますを提供することができる。
【発明の効果】
【００２７】
本発明によれば、ソケット継手およびスピゴット継手の内側で追従し、かつ内断面を略一定に保つように回動可能な内壁部材を含む自在管継手の基本構造を基にこれを改良して使用したため、排水ます本体と上流側に接続される配管および下流側に接続される配管との間で液溜まりを生じることがなく角度調整自在に配管を接続することができるようになる。
【００２８】
また、本発明によれば、排水ます本体から外方向へ突出する流入口および流出口に、管長が極めて短いスピゴット継手等を一体的に形成するようにしたため、従来と同じ大きさの金型を用いても比較的大きな口径を有する樹脂製排水ますを提供することができる。
【００２９】
さらに、本発明によれば、上流側および下流側のそれぞれに、広範囲にわたって任意方向に角度調整可能な特殊な構造を有する自在管継手を一体的に備え付けたため、上流側配管と下流側配管との間に比較的大きな勾配変化を有する配管経路の途中であっても排水ますを設置することができるようになる。
【００３０】
また、さらに発明によれば、排水ます本体の上流側に設けられた自在管継手の外部配管との接続端にはゴム輪接合方式の受口を形成させ、下流側に設けられた自在管継手の外部配管との接続端にはゴム輪接合方式に対応する差口を形成させたため、施工現場において外部配管との接続作業が容易となり、また、排水ます本体に自在管継手を接着するための手間も不要であるため、非常に短時間に排水ますの設置作業を完了させることが可能となり、低コストで施工作業を行うことができるようになる。
【００３１】
また、本発明によれば、排水ますのコンパクト化により、排水ます本体の上流側に、少なくとも２以上の自在管継手を備え付けることが可能となるため、上流側からは複数の外部排水配管を受け入れることができ、そして、これらの配管を排水ますの中で合流させた後、下流側へは１つの排水配管へ統合して排水するような機能が求められる排水ますの設置場所であっても、本発明による排水ますを設置することができるようになる。
【発明を実施するための最良の形態】
【００３２】
以下、本発明の一実施形態に係る角度調整自在に配管を接続できる樹脂製排水ますについて、図面を参照しながら詳細に説明する。なお、本発明は、以下に示される実施例に限定されるものではなく、本発明の技術的思想を逸脱しない範囲内で各種の変更が可能である。
【実施例１】
【００３３】
図１は、本発明による実施例１の角度調整自在に配管を接続できる樹脂製排水ます１の側面図であって、排水ます本体２の上流側および下流側には、自在管継手３、４の構成部品うちスピゴット継手３ａ、４ａが一体成形されているものが示されている。
【００３４】
本発明による排水ます１は、上向きに点検筒接続部５と上流側および下流側のそれぞれにスピゴット継手３ａ、４ａが一体成形された排水ます本体２（図４参照）と、これと回転自在に嵌合されるソケット継手３ｂ、４ｂと、そして前記一対のスピゴット継手およびソケット継手の内側で追従し、かつ内断面を略一定に保つように回動可能な環状内壁部材３ｃ、４ｃとを含む。
【００３５】
本発明による排水ます１は、塩化ビニールまたはポリプロピレンなどの一般的な樹脂材料から作ることができ、排水ます本体２、および上流側と下流側に取り付けられるソケット継手３ｂ、４ｂ、回動可能な環状内壁部材３ｃ、４ｃなどの部品のそれぞれは、射出成形法またはコールドパリソン法によるブロー成形などにより成形される。
【００３６】
図２には、図１に示された本発明による樹脂製排水ます１を、その中心軸を含む平面で鉛直方向に切り取った断面図が示されている。また、図３には、図２に示された本発明による樹脂製排水ます１の上流側および下流側の自在管継手３、４を、それらに接続される配管の勾配に合わせて屈曲させた場合の中心軸を含む平面で鉛直方向に切り取った断面図が示されている。
【００３７】
図２、３に示されるとおり、本発明による樹脂製排水ます１は、排水ます本体２上に形成される上流側および下流側のスピゴット継手３ａ、４ａが、それぞれの管軸ａが互いに一致するように配置されているため、勾配等をもって略直線上に配置される１本の排水配管経路の途中に容易に設置することができ、そして、排水ますの設置によっても流水を阻害することがなくスムーズな流水を保証することができる。
【００３８】
また、排水ます１に取り付けられた上流側自在管継手３の外部配管との接続端、すなわち、ソケット継手３ｂの接続端近傍には、溝部３０を内周面に設けて、この溝部３０にＯ−リング（図示せず）またはリップル３１が嵌め込まれたゴム輪接合方式の受口３ｄが一体成形されている。一方、下流側自在管継手４の外部配管との接続端、すなわち、ソケット継手４ｂの接続端近傍には、外径が略一様な一定の長さを有するゴム輪接合方式に対応する差口４ｄが一体成形されている。
【００３９】
このため、本発明による排水ます１によれば、施工現場において外部配管との接続作業が容易となり、また、排水ます本体２に自在管継手を接着するための手間も不要であるため、非常に短時間に排水ますの設置作業を完了させることが可能となり、低コストで施工作業を行うことができるようになる。
【００４０】
図５には、図３で示された本発明による樹脂製排水ます１のうち、下流側に設けられた自在管継手４近傍を部分拡大し、その中心軸を含む平面で鉛直方向に切り取った断面図が示されており、ここでは図示しないが、その基本的構造は上流側に設けられた自在管継手３と同じ構造である。
【００４１】
また、本発明による排水ます１の一部を構成する上流側および下流側に設けられた自在管継手３、４の基本的な構造は、特開２００５−２０７５４８号公報および特願２００４−６７６８５号明細書の中で詳細に述べられており、ここでは両出願に係る発明を参照として取り入れる。
【００４２】
図５を参照しながら、本発明による排水ます１に使用される自在管継手３、４の概略について説明する（なお、以下、カッコ内に示された符合は、上流側に設けられた自在管継手３の場合に対応する構成要素の符合を示す。）と、自在管継手（３）、４は、部分球状内表面（３３ｂ）、４３ｂを有するソケット継手（３ｂ）、４ｂと前記ソケット継手の部分球状内表面に一致して回動自在に嵌合される部分球状外表面（３３ａ）、４３ａを有するスピゴット継手（３ａ）、４ａと、そして前記ソケット継手およびスピゴット継手の内側で追従し、かつ内断面を略一定に保つように回動可能な環状内壁部材（３ｃ）、４ｃとを含み、下流側に設けられたスピゴット継手４ａ（および上流側に設けられたスピゴット継手３ａ）は排水ます本体２と一体となって成形されている。
【００４３】
この場合、排水ます本体２から外方向へ突出して一体成形されるスピゴット継手（３ａ）、４ａは、図５に示されるように、スピゴット継手の部分球状外表面（３３ａ）、４３ａをスピゴット継手本体（３４ａ）、４４ａとスピゴットリング（３５ａ）、４５ａに分割するように、それぞれ別部品として構成されていることが好ましい。
【００４４】
なぜなら、スピゴット継手（３ａ）、４ａの突出長ｄ１（図４参照）さは、それ自体でも従来の排水ますに設けられた流入口および流出口の管長に比べて十分に短いが、スピゴット継手（３ａ）、４ａをさらに分割することにより、あとで組み付けられる分割されたスピゴットリング（３５ａ）、４５ａの長さに相当する分だけ、より口径の大きな排水ますを一体成形することができるようになるからである。
【００４５】
また、スピゴット継手の部分外表面（３３ａ）、４３ａ上には、ソケット継手の部分内表面（３３ｂ）、４３ｂとの嵌合を液密にするためのＯ−リング（３６）、４６、およびこれを嵌め込んで固定するための溝部（３７），４７が周方向に設けられている。
【００４６】
また、スピゴット継手およびソケット継手の内部に配置される環状内壁部材（３ｃ）、４ｃは、スピゴット継手の基部から突出した支持部材（３２ａ）、４２ａおよびソケット継手の基部から突出した支持部材（３２ｂ）、４２ｂとの間で齟齬状となって支持されている。
【００４７】
このため、スピゴット継手（３ａ）、４ａおよびソケット継手（３ｂ）、４ｂは、自在管継手を液密に接続し、かつ円滑に方向自在に屈曲部を形成するためのガイド部材として機能し、一方、環状内壁部材（３ｃ）、４ｃおよび支持部材（３２ａ、３２ｂ）、４２ａ、４２ｂは、自在管継手内部に生じる凹部や段差を解消するための流水の円滑化部材として機能する。
【００４８】
すなわち、本発明による樹脂製排水ます１によれば、スピゴット継手（３ａ）、４ａおよびソケット継手（３ｂ）、４ｂの内側で追従し、かつ内断面を略一定に保つように回動可能な環状内壁部材（３ｃ）、４ｃを含む自在管継手（３）、４を排水ます本体２の上流側および下流側に一体的に設けたため、上流側に接続される配管および下流側に接続される配管との間で液溜まりを生じることがなく角度調整自在に配管を接続することができるようになる。
【００４９】
また、本発明で使用される自在管継手（３）、４の自在振り角は、−１５°〜＋１５°までの広範囲にわたり回動可能に調節できる。このため、排水ます本体２とこれに接続される上流側および下流側配管との間で、それぞれの配管の勾配等に合わせて接続角を任意方向に別々に調整することが可能となり、上流側配管と下流側配管との間に比較的大きな勾配変化や屈曲部を有する配管経路の途中であっても本発明による排水ます１を容易に設置することができるようになる（図６、７参照）。
【００５０】
図４には、上流側および下流側にスピゴット継手３ａ、４ａが一体成形されている本発明による排水ます本体２を、その中心軸を含む平面で鉛直方向に切り取った断面図が示されている。
【００５１】
本発明によれば、上述されたように、排水ます本体２から外方向へ突出して一体成形されるスピゴット継手３ａ、４ａの突出長さｄ１は、従来の排水ますに設けられた流入口および流出口の管長に比べて極めて短く形成されている。このため、本発明による排水ます１は、通常の射出成形機を用いて通常の大きさの金型これに適用した場合であっても、排水ます本体２から外方向へ突出した流入口および流出口の管長が短縮された分、比較的大きな口径を有する樹脂製排水ますを一体成形することができるようになる。
【００５２】
また、本発明によれば、排水ます本体２上に一体成形されるスピゴット継手３ａ、４ａの突出長さｄ１が極めて短いため、排水ます施工後においても、スピゴット継手３ａ、４ａに道路上の車両などからの荷重が掛かることを容易に回避できるようになり、排水ます１に備え付けられた自在管継手３、４を不慮の破損から保護できる。
【００５３】
例えば、図６には、上流側および下流側に接続される配管がある勾配を有している場合の本発明による排水ます１を接続した場合の施工例が示されており、図７には、上流側に接続される配管がある屈曲角を有しており、かつ下流側に接続される配管がある勾配を有している場合の本発明による排水ます１を接続した場合の施工例が示されている。
【００５４】
通常、排水ます１の施工に際しては、図６、７に示されるとおり、排水ます本体２の点検筒接続部５から地表に向かって点検筒６を立ち上げ、この点検筒６の上方に位置する地表付近には、道路上の車両などからの荷重が点検筒６および排水ます本体２に直接掛からないようにするために保護筐受座７に支承される保護筐８が設けられる。
【００５５】
この保護筐受座７は、地上から保護筐８を介して掛かる荷重を地中に分散しながら定位置に留まる基礎のような役割を果たすものであるが、本発明による排水ます１のスピゴット継手３ａ、４ａの突出長ｄ１さは極めて短いために、この保護筐受座７の真下に位置することができ、その結果、スピゴット継手３ａ、４ａを含む自在管継手３、４には、地上からの予測されない荷重が掛かることを回避することができる。
【実施例２】
【００５６】
図８は、本発明による実施例２の角度調整自在に配管を接続できる樹脂製排水ます１の側面図であって、排水ます本体２の上流側には自在管継手のスピゴット継手３ａが一体成形されており、下流側には自在管継手４のソケット継手４ｂが一体成形されているものが示されている。すなわち、本発明による実施例２の樹脂製排水ます１は、下流側に配置される自在管継手４のスピゴット継手４ａおよびソケット継手４ｂの配列を入出口で逆向きに配列したこと以外は、実施例１で説明された樹脂製排水ますと同じ構造を有するものであって、下流側自在管継手４の内部に配置される環状内壁部材４ｃと支持部材４１ａ、４１ｂとの噛み合わせを重視（図１３参照）して、よりスムーズな流水を達成できるようにしたものである。
【００５７】
本発明による排水ます１は、上向きに点検筒接続部５と上流側にスピゴット継手３ａ、下流側にソケット継手４ｂが一体成形された排水ます本体２（図１２参照）と、これと回転自在に嵌合されるソケット継手３ｂおよびスピゴット継手４ａと、そして前記一対のスピゴット継手およびソケット継手の内側で追従し、かつ内断面を略一定に保つように回動可能な環状内壁部材３ｃ、４ｃとを含む。
【００５８】
本発明による排水ます１は、実施例１の排水ますと同様に塩化ビニールまたはポリプロピレンなどの一般的な樹脂材料から作ることができ、排水ます本体２、上流側に取り付けられるソケット継手３ｂと下流側に取り付けられるスピゴット継手４ａ、回動可能な環状内壁部材３ｃ、４ｃなどの部品のそれぞれは、射出成形法またはコールドパリソン法によるブロー成形などにより成形される。
【００５９】
図９には、図８に示された本発明による樹脂製排水ます１を、その中心軸を含む平面で鉛直方向に切り取った断面図が示されている。また、図１０には、図９に示された本発明による樹脂製排水ます１の上流側および下流側の自在管継手３、４を、それらに接続される配管の勾配に合わせて屈曲させた場合の中心軸を含む平面で鉛直方向に切り取った断面図が示されている。
【００６０】
図９、１０に示されるとおり、本発明による樹脂製排水ます１は、排水ます本体２上に形成される上流側スピゴット継手３ａおよび下流側ソケット継手４ｂが、それぞれの管軸ａが互いに一致するように配置されているため、勾配等をもって略直線上に配置される１本の排水配管経路の途中に容易に設置することができ、そして、排水ますの設置によっても流水を阻害することがなくスムーズな流水を保証することができる。
【００６１】
また、排水ます１に取り付けられた上流側自在管継手３の外部配管との接続端、すなわち、ソケット継手３ｂの接続端近傍には、溝部３０を内周面に設けて、この溝部３０にＯ−リング（図示せず）またはリップル３１が嵌め込まれたゴム輪接合方式の受口３ｄが一体成形されている。一方、下流側自在管継手４の外部配管との接続端、すなわち、スピゴット継手４ａの接続端近傍には、外径が略一様な一定の長さを有するゴム輪接合方式に対応する差口４ｄが一体成形されている。
【００６２】
このため、本発明による排水ます１によれば、施工現場において外部配管との接続作業が容易となり、また、排水ます本体２に自在管継手を接着するための手間も不要であるため、非常に短時間に排水ますの設置作業を完了させることが可能となり、低コストで施工作業を行うことができるようになる。
【００６３】
また、本発明によれば、排水ます本体２から外方向へ突出する流入口には管長が極めて短いスピゴット継手３ａを一体的に形成させ、流出口には外部配管を接続するための差口（長さ）を省略することにより管長を短くしたソケット継手４ｂを形成させたため、従来と同じ大きさの金型を用いても比較的大きな口径を有する樹脂製排水ますを作製することができ、また、下流側自在管継手の中で、環状内壁部材の噛み合わせを順フロー方向に揃えたため、よりスムーズな流水を達成できるようになる。なお、後者の効果に関しては、実施例１の排水ます本体２の下流側自在管継手４においても、図１１に示すように、環状内壁部材４ｃの噛み合わせを順フロー方向に揃えることで、同様の効果を得ることができる。
【００６４】
図１３には、図１０で示された本発明による樹脂製排水ます１のうち、下流側に設けられた自在管継手４近傍を部分拡大し、その中心軸を含む平面で鉛直方向に切り取った断面図が示されており、ここでは図示しないが、その基本的構造は上流側に設けられた自在管継手３と同じ構造である。
【００６５】
図１３を参照しながら、本発明による排水ます１に使用される自在管継手３、４の概略について説明する（なお、以下、カッコ内に示された符合は、上流側に設けられた自在管継手３の場合に対応する構成要素の符合を示す。）と、自在管継手（３）、４は、部分球状内表面（３３ｂ）、４３ｂを有するソケット継手（３ｂ）、４ｂと前記ソケット継手の部分球状内表面に一致して回動自在に嵌合される部分球状外表面（３３ａ）、４３ａを有するスピゴット継手（３ａ）、４ａと、そして前記一対のソケット継手およびスピゴット継手の内側で追従し、かつ内断面を略一定に保つように回動可能な環状内壁部材（３ｃ）、４ｃとを含み、下流側に設けられたソケット継手４ｂ（および上流側に設けられたスピゴット継手３ａ）は排水ます本体２と一体となって成形されている。
【００６６】
この場合、排水ます本体２から外方向へ突出して下流側に一体成形されるソケット継手４ｂは、外部配管を接続するための差口に相当する長さを省略することができ、また、上流側に一体成形されるスピゴット継手３ａは、実施例１のスピゴット継手と同様に、スピゴット継手の部分球状外表面３３ａをスピゴット継手本体３４ａとスピゴットリング３５ａに分割して、それぞれを別部品として構成することができる（図５参照）。
【００６７】
この結果、ソケット継手４ｂおよびスピゴット継手３ａの突出長さｄ１、ｄ２（図１２参照）は、いずれもそれ自体で従来の排水ますに設けられた流入口および流出口の管長に比べて十分に短いが、さらに下流側ソケット継手４ｂの差口に相当する長さを省略し、上流側スピゴット継手３ａを分割することにより、省略および分割された長さに相当する分だけ、より口径の大きな排水ますを一体成形することができるようになる。
【００６８】
また、ソケット継手４ｂと回転自在に嵌合されるスピゴット継手４ａの部分外表面（３３ａ）、４３ａ上には、ソケット継手の部分内表面（３３ｂ）、４３ｂとの嵌合を液密にするためのＯ−リング（３６）、４６、およびこれを嵌め込んで固定するための溝部（３７），４７が周方向に設けられている。
【００６９】
また、スピゴット継手およびソケット継手の内部に配置される環状内壁部材（３ｃ）、４ｃは、スピゴット継手の基部から突出した支持部材（３２ａ）、４２ａおよびソケット継手の基部から突出した支持部材（３２ｂ）、４２ｂとの間で、流水に対して小さな接続段差を降りていくように齟齬状となって支持されている。
【００７０】
このため、スピゴット継手（３ａ）、４ａおよびソケット継手（３ｂ）、４ｂは、自在管継手を液密に接続し、かつ円滑に方向自在に屈曲部を形成するためのガイド部材として機能し、一方、環状内壁部材（３ｃ）、４ｃおよび支持部材（３２ａ、３２ｂ）、４２ａ、４２ｂは、自在管継手内部に生じる凹部や段差を解消するための流水の円滑化部材として機能する。
【００７１】
すなわち、本発明による樹脂製排水ます１によれば、スピゴット継手（３ａ）、４ａおよびソケット継手（３ｂ）、４ｂの内側で追従し、かつ内断面を略一定に保つように回動可能な環状内壁部材（３ｃ）、４ｃを含む自在管継手（３）、４を排水ます本体２の上流側および下流側に一体的に設けたため、上流側に接続される配管および下流側に接続される配管との間で液溜まりを生じることがなく角度調整自在に配管を接続することができるようになる。
【００７２】
また、本発明で使用される自在管継手（３）、４の自在振り角は、−１５°〜＋１５°までの広範囲にわたり回動可能に調節できる。このため、排水ます本体２とこれに接続される上流側および下流側配管との間で、それぞれの配管の勾配等に合わせて接続角を任意方向に別々に調整することが可能となり、上流側配管と下流側配管との間に比較的大きな勾配変化や屈曲部を有する配管経路の途中であっても本発明による排水ます１を容易に設置することができるようになる。
【００７３】
図１２には、上流側にスピゴット継手３ａが一体成形され、下流側にソケット継手４ｂが一体成形されている本発明による排水ます本体２を、その中心軸を含む平面で鉛直方向に切り取った断面図が示されている。
【００７４】
本発明によれば、上述されたように、排水ます本体２から外方向へ突出して一体成形される上流側スピゴット継手３ａおよび下流側ソケット継手４ｂの突出長さｄ１、ｄ２は、従来の排水ますに設けられた流入口および流出口の管長に比べて極めて短く形成されている。このため、本発明による排水ます１は、通常の射出成形機を用いて通常の大きさの金型これに適用した場合であっても、排水ます本体２から外方向へ突出した流入口および流出口の管長が短縮された分、比較的大きな口径を有する樹脂製排水ますを一体成形することができるようになる。
【００７５】
また、本発明によれば、排水ます本体２上に一体成形されるスピゴット継手３ａおよびソケット継手４ｂの突出長さｄ１、ｄ２が極めて短いため、実施例１の中で述べられたように、排水ます施工後においても、スピゴット継手３ａおよびソケット継手４ｂに道路上の車両などからの荷重が掛かることを容易に回避できるようになり、排水ます１に備え付けられた自在管継手３、４を不慮の破損から保護できる。
【実施例３】
【００７６】
図１４には、上流側に２つの自在管継手３、３’が備え付けられ、下流側には１つの自在管継手４が備え付けられた本発明による実施例３の樹脂製排水ます１の平面図が示され、図１５には、図１４に示された樹脂製排水ます１の側面図が示されている。
【００７７】
本発明による排水ます１は、上向きに点検筒接続部５と上流側に２つのスピゴット継手３ａ、３ａ’と下流側に１つスピゴット継手４ａが一体成形された排水ます本体２と、これと回転自在に嵌合されるソケット継手３ｂ、３ｂ’、４ｂと、そして前記一対のスピゴット継手およびソケット継手の内側で追従し、かつ内断面を略一定に保つように回動可能な環状内壁部材３ｃ、３ｃ’、４ｃ（図示せず）とを含む。
【００７８】
上流側に設けられた２つの自在管継手３、３’および下流側に設けられた１つの自在管継手４の配置は、排水ます１内でのスムーズな流水を考慮して適宜決定されるが、一般的には、一対の上流側スピゴット継手３ａおよび下流側スピゴット継手４ａは、それぞれの管軸が互いに一致するように配置されていることが好ましい。
【００７９】
また、排水ます本体２上に取り付けスペース上の問題さえなければ、上流側に２以上の自在管継手（流入口）を設けることもでき、さらに、よりスムーズな流水を重視する場合は、排水ます本体２上に一体成形される下流側スピゴット継手４ａを実施例２に示したようなソケット継手に置き換えて一体成形してもよい。
【００８０】
また、本発明による排水ます１は、実施例１、２の排水ますと同様に塩化ビニールまたはポリプロピレンなどの一般的な樹脂材料から作ることができ、排水ます本体２、上流側に取り付けられるソケット継手３ｂ、３ｂ’と下流側に取り付けられるソケット継手４ｂ、回動可能な環状内壁部材３ｃ、３ｃ’、４ｃなどの部品のそれぞれは、射出成形法またはコールドパリソン法によるブロー成形などにより成形される。
【００８１】
なお、本発明による排水ます１に使用される上流側および下流側に設けられた自在管継手３、３’、４の基本的な構造は、実施例１、２で述べられた自在管継手の構造と同じである。
【００８２】
この結果、本発明によれば、上流側からは複数の外部排水配管を受け入れることができ、そして、これらの配管を排水ます１の中で合流させた後、下流側へは１つの排水配管へ統合して排水するような機能が求められる排水ますの設置場所であっても、排水ます本体２と上流側に接続される配管および下流側に接続される配管との間で液溜まりを生じることがなく、角度調整自在に配管を接続することができ、かつ比較的大きな口径を有する樹脂製排水ますを提供することができる。
【図面の簡単な説明】
【００８３】
【図１】排水ます本体の上流側および下流側には自在管継手の構成部品うちスピゴット継手が一体成形されている、本発明による実施例１の樹脂製排水ますの側面図である。
【図２】図２は、図１で示された本発明による樹脂製排水ますを、その中心軸を含む平面で鉛直方向に切り取った断面図である。
【図３】図３は、図２で示された本発明による樹脂製排水ますの上流側および下流側自在管継手を、それらに接続される配管の勾配に合わせて屈曲させた場合の中心軸を含む平面で鉛直方向に切り取った断面図である。
【図４】図４は、図１、２で示された本発明による樹脂製排水ますの本体を、その中心軸を含む平面で鉛直方向に切り取った断面図である。
【図５】図５は、図３に示された本発明による樹脂製排水ますのうち、下流側に設けられた自在管継手近傍を部分拡大し、その中心軸を含む平面で鉛直方向に切り取った断面図である。
【図６】図６は、上流側および下流側に接続される配管がある勾配を有している場合の図１、２に示された本発明による排水ますを接続した場合の施工例を示した側面図である。
【図７】図７は、上流側に接続される配管がある屈曲角を有しており、かつ下流側に接続される配管がある勾配を有している場合の図１、２に示された本発明による排水ますを接続した場合の施工例を示した側面図である。
【図８】排水ます本体の上流側には自在管継手のスピゴット継手が一体成形されており、下流側には自在管継手のソケット継手が一体成形されている、本発明による実施例２の樹脂製排水ますの側面図である。
【図９】図９は、図８で示された本発明による樹脂製排水ますを、その中心軸を含む平面で鉛直方向に切り取った断面図である。
【図１０】図１０は、図９で示された本発明による樹脂製排水ますの上流側および下流側自在管継手を、それらに接続される配管の勾配に合わせて屈曲させた場合の中心軸を含む平面で鉛直方向に切り取った断面図である。
【図１１】図１１は、実施例１の樹脂製排水ますにおける下流側自在管継手の中で環状内壁部材の噛み合わせを順フロー方向に揃えた場合を示す断面図である。
【図１２】図１２は、図８、９で示された本発明による樹脂製排水ますの本体を、その中心軸を含む平面で鉛直方向に切り取った断面図である。
【図１３】図１３は、図１０に示された本発明による樹脂製排水ますのうち、下流側に設けられた自在管継手近傍を部分拡大し、その中心軸を含む平面で鉛直方向に切り取った断面図である。
【図１４】図１４は、上流側に２つの自在管継手が備え付けられ、下流側には１つの自在管継手４が備え付けられた本発明による実施例３の樹脂製排水ますの平面図である。
【図１５】図１５は、図１４で示された樹脂製排水ますの側面図である。
【符号の説明】
【００８４】
１                  樹脂製排水ます
２                  排水ます本体
３、３’            上流側自在管継手
４                  下流側自在管継手
３ａ、３ａ’、４ａ  スピゴット継手
３ｂ、３ｂ’、４ｂ  ソケット継手
３ｃ、３ｃ’、４ｃ  環状内壁部材
５                  点検筒接続部
６                  点検筒
７                  保護筐受座
８                  保護筐
【図１】
2007070890.tif 000003
【図２】
2007070890.tif 000004
【図３】
2007070890.tif 000005
【図４】
2007070890.tif 000006
【図５】
2007070890.tif 000007
【図６】
2007070890.tif 000008
【図７】
2007070890.tif 000009
【図８】
2007070890.tif 000010
【図９】
2007070890.tif 000011
【図１０】
2007070890.tif 000012
【図１１】
2007070890.tif 000013
【図１２】
2007070890.tif 000014
【図１３】
2007070890.tif 000015
【図１４】
2007070890.tif 000016
【図１５】
2007070890.tif 000017